(57)【要約】【課題】吸い上げポンプの操作により、所定量づつ内容液を取り出すようにしたポンプ吐出容器を、高粘度の液状物の取り出しに適合させる。【解決手段】高粘度の液状物Ａを収容した容器本体１の口部２ａに、押し下げヘッド３ｃの押し下げ動作により前記液状物を吸い上げて所定量つづ吐出させる吸い上げポンプ３を設け、この押し上げポンプの下方に突出した吸込管３ｅに、液状物の表面を覆う落し蓋４をスライド可能に取り付けた。また、吸込管下端の吸込口３ｆには、この吸込口の開口面積を吸込管の断面積より小さくするアタッチメント６を取り付け、ポンプによる単位面積当りの吸引力を増加させると共に、吸込管内に吸い込まれた液状物の戻りを抑制するようにした。【選択図】図１
2005320045.tif 000002
【特許請求の範囲】
【請求項１】
高粘度の液状物を収容した容器本体の口部に、押し下げヘッドの押し下げ動作により前記液状物を吸い上げて所定量つづ吐出させる吸い上げポンプを装着し、前記容器本体内に、液状物上に載置されるリング状の落し蓋を昇降変位可能に装着したポンプ吐出容器において、
吸い上げポンプの下方に突出した吸込管の下端吸込口に、この吸込口の開口面積をその上側に連続した吸込管の断面積より小さくし、ポンプによる単位面積当りの吸引力を増加させると共に、吸込管内に吸い込まれた液状物の戻りを抑制する手段となるアタッチメントが付設されたことを特徴とするポンプ吐出容器
【請求項２】
上記アタッチメントは、下端開口を縮径させるか、下端開口に網状のフィルターを取り付け、開口面積を減少させた筒状体であることを特徴とする請求項１記載のポンプ吐出容器。
【請求項３】
上記アタッチメントは、吸込管内に挿着される軸線方向に捻回された板状体であることを特徴とする請求項１記載のポンプ吐出容器。
【発明の詳細な説明】
【技術分野】
【０００１】
本発明は、シャンプーやトリートメントなどの比較的粘稠性の高い液体を収容し、この液体を容器口部に設けられた吸い上げポンプで一定量づつ吸い上げ、取り出すようにしたポンプ吐出容器に関する。
【背景技術】
【０００２】
シャンプーやリンスなどの液体化粧料の容器として、口部に吸い上げポンプが設けられ、この吸い上げポンプの上端に設けられた押し下げヘッドを、押し下げ操作することにより、内容液を一定量づつ吸い上げ、吸い上げた内容液をこの押し下げヘッドの側方に設けられた吐出口から外部に取り出すようにしたポンプ吐出容器は、従来から一般に広く知られている。
【０００３】
しかしながらこの種のポンプ吐出容器は、ポンプのシリンダ部に連設された吸込管内をポンプの働きで負圧にすることにより、液体を吸い上げるようになっているので、収容された液体が粘稠性の高いクリーム状のものであると、抵抗が大きく、使用開始時のカラ打ちと称される押し下げヘッドを繰り返し押し下げる動作を多く要したり、あるいは内容液を全く吸い上げることができないという問題点があった。
【０００４】
しかしながら、その利便性に着目し、ヘアートリートメントなどの高粘度化粧品もこのような吸い上げポンプで所定量ずつ取り出し得るようにしたいという要望が、特に理・美容業界において強く、この要望を受けて、高粘度溶液に対応したポンプ容器が種々、開発されている。
【０００５】
例えば、容器本体の内部に吸込管が貫通する挿通孔を有する板状の部材を、上下方向に移動可能に設け、この板状の部材を液体の表面に浮かべ、落し蓋のように機能させることにより、収容された液体の表面に圧力を加え、吸い上げポンプの働きで負圧となった吸込管内に、容易に液体が押し上げられるようにしたものがあった。（例えば、特許文献１参照）。
【０００６】
また、この種の高粘度の溶液では、容器内に残った溶液を完全に吸い上げることが困難であるという問題点があり、この点を改善した従来のものとしては、溶液を伸縮可能な蛇腹状の内容器に収容し、この内容器の口部に吸い上げポンプを気密に取り付けることにより、使用に伴って内容器の底が吸込管に近接するように移動させるようにしたものがあった。（例えば、特許文献２参照）。
【特許文献１】実公平３−３５２０９号公報（第２−３頁、第２図）
【特許文献２】特開平７−１１２７５４号公報（第３−４頁、第１図）
【発明の開示】
【発明が解決しようとする課題】
【０００７】
上述した従来のポンプ吐出容器のうち、前者の落し蓋のように機能する板状の部材を設けたものは、この板状の部材の重力が内容液を吸込管内に押し上げるように作用するので、ある程度の粘度の高い液状物であっても取り出すことはできるが、高粘度の液状物に対しては、押上力が不足し、特に使用開始時には、カラ打ちを数多く行わなければ、内容液を吸い上げることができないという問題点を有していた。
【０００８】
また、後者の蛇腹容器を用いたものは、外容器とは別に内容器となる蛇腹容器を要するため、容器自体のコストが高くなるという問題点があり、また、この蛇腹容器は、再利用することができず、廃棄されるため、昨今の省資源化の流れにも反するという問題点があった。さらにこのポンプ吐出容器では、内容液の取り出しに伴って蛇腹容器が縮み、その底面が上昇するようになっているので、高粘度で、かつ比重の大きい液状物を収容した場合、その吸い上げが困難であり、これも上記のものと同様に使用開始時のカラ打ちを数多くしなくてはならないという問題点を有していた。
【０００９】
本発明は、上記従来の高粘度溶液用のポンプ吐出容器が有していた問題点の解決を課題とする。
【課題を解決するための手段】
【００１０】
上記の問題点を解決するために、本発明のうち、請求項１記載の発明は、高粘度の液状物を収容した容器本体の口部に、押し下げヘッドの押し下げ動作により前記液状物を吸い上げて所定量つづ吐出させる吸い上げポンプを装着し、前記容器本体内に、液状物上に載置されるリング状の落し蓋を昇降変位可能に装着したポンプ吐出容器において、吸い上げポンプの下方に突出した吸込管の下端吸込口に、この吸込口の開口面積をその上側に連続した吸込管の断面積より小さくし、ポンプによる単位面積当りの吸引力を増加させると共に、吸込管内に吸い込まれた液状物の戻りを抑制する手段となるアタッチメントを付設したことを特徴とする。
【００１１】
請求項２記載の発明は、上記請求項１記載の発明の構成中、アタッチメントを、下端開口を縮径させるか、あるいは下端開口に網状のフィルターを取り付け、開口面積を減少させた筒状体と限定したことを特徴とする。
【００１２】
請求項３記載の発明は、上記請求項１記載の発明の構成中、アタッチメントを、吸込管内に挿着される軸線方向に捻回された板状体と限定したことを特徴とする。
【発明の効果】
【００１３】
本発明のうち、請求項１記載の発明では、吸込管の下端吸込口にアタッチメントを付設するという簡単な構成にもかかわらず、ポンプの吸引力の増加が図られると共に、吸込管に吸い上げられた液状物の戻りが抑制されるので、粘性の高い液状物を効率良く吸い上げることができ、使用開始時の押し下げヘッドのカラ打ちも少なくなるという効果がある。
【００１４】
また、従来のポンプ吐出容器をそのまま使用できるので、内容物の変更に容易に対応できると共に、そのためのコスト負担も最低限に抑えられるという効果がある。
【００１５】
請求項2 記載の発明では、アタッチメントを下端開口を縮径させるか、あるいは下端開口に網状のフィルターが取り付けられた筒状体としたので、吸込管への取り付けが容易であり、内容液に混入した異物がポンプに吸い込まれることも効果的に防止されるという効果がある。
【００１６】
請求項３記載の発明では、吸込管内に、この吸込管の軸線方向に捻回された板状体を挿着することとしたので、最も少ない部材でコスト低廉に上記請求項１記載の発明の効果を得ることができる。また、この板状体は吸込管の内部に挿着されるので、吸込管の下方にアタッチメントを取り付けるためのスペースを要さず、吸込管を短くするなどの加工が一切、不要である。
【発明を実施するための最良の形態】
【００１７】
以下、本発明を図示した実施の最良の形態に基づき詳細に説明する。
【００１８】
図１は、本発明に係るポンプ吐出容器を示した半縦断面図である。図示したように、このポンプ吐出容器は、液状物Ａが収容される有底略円筒形の容器本体１と、この容器本体１の上部開口１ａを塞ぐように取り付けられる上蓋を兼ねた肩部材２と、この肩部材２の中心に設けられた口部２ａに装着される手動操作用の吸い上げポンプ３とを有している。
【００１９】
上記吸い上げポンプ３は、口部２ａ内に位置した略円筒形のシリンダ部３ａと、このシリンダ部３ａから上方に突出した操作ロッド３ｂと、操作ロッド３ｂの上端に取り付けられた押し下げヘッド３ｃと、押し下げヘッド３ｃの側方に設けられた内容液吐出用のノズル部３ｄと、シリンダー部３ａの下方に延出形成された吸込管３ｅとを有した従来公知のものである。なお、この吸込管３ｅは、シリンダ部３ａの内部と連通し、その下端の吸込口３ｆが容器本体１の底部１ｂ近傍位置まで延出されている。
【００２０】
また、この吸込管３ｅには、吸込管３ｅが貫通する挿通孔４ａが中心に設けられた略リング形の落し蓋４が、この吸込管３ｅに沿って容器本体１内を上下方向に移動し得るようにシールリング５を介して取り付けられている。なお、このシールリング５は、上端に引き上げ操作用の鍔部５ａが設けられた略筒形のものであり、外側に固定された落し蓋４を保持して、吸込管３ｅに摺動自在に挿着されている。
【００２１】
なお、上記ポンプ吐出容器は、ヘアートリートメントや化粧料クリーム、シャンプー、整髪料などの比較的高粘度の液状物Ａを収容するものであり、上記落し蓋４は、この液状物Ａの表面を覆うように、その上部に載置されることにより、シリンダ部３ａに内装されたポンプ機構（図示せず）の働きで負圧となった吸込管３ｅの内部に、液状物Ａを押し上げる方向の力を補助的に作用させるものである。
【００２２】
ここにおいて、本発明のポンプ吐出容器では、吸込管３下端の吸込口３ｆに筒形のアタッチメント６を挿着している。このアタッチメント６は、図２の拡大斜視図に示すように、下端開口６ａが縮径された筒状体、あるいは図３の拡大斜視図に示すように、下端開口に網状のフィルター６ｂが取り付けられた筒状体で構成されている。従って、このアタッチメント６により、吸込管３ｅ下端の吸込口３ｆは、その開口面積がその上側に連続した吸込管３ｅの断面積よりも小さくなっている。
【００２３】
本発明のポンプ吐出容器は、上記の構成を有している。
【００２４】
なお、上記操作ロッ３ｂドは、シリンダ部３ａに内装されたばね（図示せず）で、常時、突出方向に付勢されている。また、この操作ロッド３ｂは、図示しないねじなどの係止手段により、ばねの付勢力に抗してシリンダ部３ａ内に没入した状態に係止保持されるようになっている。
【００２５】
次に上記構成を有する本発明のポンプ吐出容器の機能について述べると、まずこのポンプ吐出容器は、従来のものと同様に利用者の手元に渡った段階では、押し下げヘッド３ｃは、操作不可なように押し下げられた状態で、係止保持されている。これは、販売流通段階で不用意に押し下げヘッド３ｃが押し下げられ、液状物Ａが吐出することを防止するためである。従って、使用に先立ってまず、操作ロッド３ｂを没入した状態で係止保持している係止手段を、押し下げヘッド３ｃの回転などにより外す必要がある。このことでばねで突出付勢された操作ロッド３ｂは、シリンダ部３ａの上方に押し込み可能に突出する。この状態で押し下げヘッド３ｃを押し下げ、シリンダ部３ａに内装されたポンプ機構を作動させ、吸込管３ｅから液状物Ａを吸い上げるのであるが、使用開始当初には、吸込管３ｅの内部が空隙であるため、押し下げヘッド３ｃを繰り返し押し下げるカラ打ちと称される操作を行い、吸込管３ｅの内部を負圧として液状物Ａを吸い上げる必要がある。しかしながら上述したように容器本体の内部には、高粘度の液状物Ａが収容されているので、抵抗が大きく、そのままではなかなか容易に吸い上げることはできないが、本発明のポンプ吐出容器では、吸込管３ｅ下端の吸込口３ｆに開口面積を小さくするアタッチメント６が取り付けられているので、ポンプによる単位面積当りの吸引力が増加し、液状物Ａの表面に載置された落し蓋４の落下圧力と相俟って、液状物Ａが吸込管３ｅ内にスムーズに導かれ、この吸込管３ｅ内を上昇する。また、上記アタッチメント６は、開口面積が小さいため、一度この吸込管３ｅ内に吸い込まれた液状物Ａが、すぐに逆戻りしないようにその流れを抑制するようにも機能する。よって、間欠的に行われるカラ打ち動作の際にも吸込管３ｅ内に吸い込まれた液状物Ａが逆戻りすることはなく、徐々に吸込管３ｅ内を上昇し、やがてシリンダ部３ａを満たしてノズル部３ｄから排出される。
【００２６】
このようにして本発明のポンプ吐出容器では、使用開始時に少ないカラ打ち回数で、液状物Ａを吸い上げ、ノズル部３ｄから所定量ごとに取り出せる使用状態に移行させることができるものである。
【００２７】
下記表１は、本発明のポンプ吐出容器と、アタッチメントを装着しない従来のポンプ吐出容器とを、同一条件下でそれぞれ３回つづ所定の項目についてテストし、比較したものである。表から明らかなように何れの場合も、アタッチメントを装着した本発明のポンプ吐出容器の方が、初回吐出時のカラ打ちの回数が少ないことが分かる。
【００２８】
【表１】
2005320045.tif 000003
【００２９】
また、この表１から明らかなように、本発明のポンプ吐出容器では、粘性の高い液状物を効率良く取り出せるので、容器本体の底部に取り出せないで残る液状物の残量も少なくなり、結果として、利用できる吐出回数も増え、経済性の向上も図られるものである。
【００３０】
以上のようにして本発明のポンプ吐出容器は、高粘度の液状物の所定量ごとの取り出しに好適に利用される。
【００３１】
図４は、吸込管３ｅの吸込口３ｆに装着されるアタッチメント７の他の例を示したものである。この場合は、吸込管３ｅの内部に、この吸込管３ｅの軸線方向に捻回された金属薄板や合成樹脂からなる板状体７を、挿着することとしたものであり、吸込口３ｆの開口面積を小さくしてポンプによる単位面積当りの吸引力を増加させると共に、吸込管３ｅ内に吸い込まれた液状物Ａの戻りを抑制するという機能については、上記のものと何ら変わるところはない。
【図面の簡単な説明】
【００３２】
【図１】本発明のポンプ吐出容器の実施形態を示した半縦断面図である。
【図２】アタッチメントの一例を示した斜視図である。
【図３】アタッチメントの他の例を示した斜視図である。
【図４】アタッチメントのさらに他の例を示した斜視図である。
【符号の説明】
【００３３】
１  容器本体
１ａ  上部開口
１ｂ  底部
２  肩部材
２ａ  口部
３  吸い上げポンプ
３ａ  シリンダ部
３ｂ  操作ロッド
３ｃ  押し下げヘッド
３ｄ  ノズル部
３ｅ  吸込管
３ｆ  吸込口
４  落し蓋
４ａ  挿通孔
５  シールリング
５ａ  鍔部
６  アタッチメント（筒状体）
６ａ  開口
６ｂ  フィルター
７  アタッチメント（板状体）
【図１】
2005320045.tif 000004
【図２】
2005320045.tif 000005
【図３】
2005320045.tif 000006
【図４】
2005320045.tif 000007